【手続補正書】
【提出日】平成25年3月8日(2013.3.8)
【手続補正１】
【補正対象書類名】特許請求の範囲
【補正対象項目名】全文
【補正方法】変更
【補正の内容】
【特許請求の範囲】
【請求項１】
第１中継装置と、
第２中継装置と、
アクセス管理装置と、を備え、
前記アクセス管理装置は、
前記第１中継装置がアクセスすることができる装置のリストを保持し、前記第２中継装置に対するアクセス要求を前記第１中継装置から受信した場合、前記第１中継装置が前記第２中継装置にアクセスすることを許可するか否かを前記リストに基づいて判定するアクセス許可部と、
前記第１中継装置が前記第２中継装置にアクセスすることが許可された場合、前記第１中継装置からのアクセスがあることを前記第２中継装置に通知し、前記第２中継装置に対するアクセス許可を前記第１中継装置に通知する通知部と、
前記アクセス許可に基づいて前記第１中継装置と前記第２中継装置との間に確立された通信セッションに関するセッション情報を、前記第１中継装置から取得するセッション情報取得部と、
を備え、
前記第１中継装置は、
前記アクセス許可を受信した場合、前記第２中継装置との間に前記通信セッションを確立する通信セッション確立部と、
を備え、
前記第１中継装置及び前記第２中継装置は、
前記第１中継装置側の第１のＬＡＮに接続された第１通信端末と前記第２中継装置側の第２のＬＡＮに接続された第２通信端末との間の通信を、前記通信セッションを用いて中継する中継通信部、
を備え、
前記アクセス管理装置は、さらに、
前記セッション情報に基づいて前記通信セッションが所定条件を満たすと判断した場合、前記通信セッションの切断指示を前記第１中継装置又は前記第２中継装置に送信する切断指示部、
を備えることを特徴とする中継通信システム。
【請求項２】
請求項１に記載の中継通信システムにおいて、
前記第１中継装置は、さらに、
前記通信セッションの確立通知を前記アクセス管理装置に送信する確立通知部、
を備え、
前記切断指示部は、前記確立通知を受信してからの時間が所定時間以上となった場合に、前記通信セッションの切断を前記第１中継装置に指示することを特徴とする中継通信システム。
【請求項３】
請求項１または請求項２に記載の中継通信システムにおいて、
前記第１中継装置と、前記第２中継装置と、前記アクセス管理装置とは、さらに、
前記第１中継装置及び前記第２中継装置の起動情報と、前記第１中継装置及び前記第２中継装置に接続されたクライアント端末の起動・登録情報とを含む中継サーバ情報を、互いに共有する中継サーバ情報共有部を備えることを特徴とする中継通信システム。
【請求項４】
請求項３に記載の中継通信システムにおいて、
前記第１中継装置は、さらに、
前記中継サーバ情報を表示する表示部を備えることを特徴とする中継通信システム。
【請求項５】
請求項１ないし請求項４のいずれかに記載の中継通信システムにおいて、
前記通信セッションは、前記第１中継装置と前記第２中継装置との間で転送される通信パケットを、ルーティング制御するメディアセッションとしてのルーティングセッションであることを特徴とする中継通信システム。
【請求項６】
請求項５に記載の中継通信システムにおいて、
前記ルーティングセッションでは、セッション確立後に、前記第１中継装置及び前記第２中継装置はネットワークアドレスを交換することを特徴とする中継通信システム。
【請求項７】
請求項６に記載の中継通信システムにおいて、
前記ネットワークアドレスの交換において、前記第１中継装置及び前記第２中継装置はそれぞれが接続されたＬＡＮに接続された全ての端末へのアクセスを許可することを特徴とする中継通信システム。
【請求項８】
請求項６に記載の中継通信システムにおいて、
前記ネットワークアドレスの交換において、前記第１中継装置又は前記第２中継装置はそれぞれが接続されたＬＡＮに接続された端末の一部にアクセスを許可することを特徴とする中継通信システム。
【請求項９】
第１中継装置及び第２中継装置と通信可能なアクセス管理装置であって、
前記第１中継装置がアクセスすることができる装置のリストを保持し、前記第２中継装置に対するアクセス要求を前記第１中継装置から受信した場合、前記第１中継装置が前記第２中継装置にアクセスすることを許可するか否かを前記リストに基づいて判定するアクセス許可部と、
前記第１中継装置が前記第２中継装置にアクセスすることが許可された場合、前記第１中継装置からのアクセスがあることを前記第２中継装置に通知し、前記第２中継装置に対するアクセス許可を前記第１中継装置に通知する通知部と、
前記アクセス許可に基づいて前記第１中継装置と前記第２中継装置との間に確立された通信セッションに関するセッション情報を、前記第１中継装置から取得するセッション情報取得部と、
前記セッション情報に基づいて前記通信セッションが所定条件を満たすと判断した場合、前記通信セッションの切断指示を前記第１中継装置又は前記第２中継装置に送信する切断指示部と、
を備えることを特徴とするアクセス管理装置。
【手続補正２】
【補正対象書類名】明細書
【補正対象項目名】０００８
【補正方法】変更
【補正の内容】
【０００８】
上記課題を解決するため、請求項１記載の発明は、第１中継装置と、第２中継装置と、アクセス管理装置と、を備え、前記アクセス管理装置は、前記第１中継装置がアクセスすることができる装置のリストを保持し、前記第２中継装置に対するアクセス要求を前記第１中継装置から受信した場合、前記第１中継装置が前記第２中継装置にアクセスすることを許可するか否かを前記リストに基づいて判定するアクセス許可部と、前記第１中継装置が前記第２中継装置にアクセスすることが許可された場合、前記第１中継装置からのアクセスがあることを前記第２中継装置に通知し、前記第２中継装置に対するアクセス許可を前記第１中継装置に通知する通知部と、前記アクセス許可に基づいて前記第１中継装置と前記第２中継装置との間に確立された通信セッションに関するセッション情報を、前記第１中継装置から取得するセッション情報取得部と、を備え、前記第１中継装置は、前記アクセス許可を受信した場合、前記第２中継装置との間に前記通信セッションを確立する通信セッション確立部と、を備え、前記第１中継装置及び前記第２中継装置は、前記第１中継装置側の第１のＬＡＮに接続された第１通信端末と前記第２中継装置側の第２のＬＡＮに接続された第２通信端末との間の通信を、前記通信セッションを用いて中継する中継通信部、を備え、前記アクセス管理装置は、さらに、前記セッション情報に基づいて前記通信セッションが所定条件を満たすと判断した場合、前記通信セッションの切断指示を前記第１中継装置又は前記第２中継装置に送信する切断指示部、を備えることを特徴とする。
【手続補正３】
【補正対象書類名】明細書
【補正対象項目名】０００９
【補正方法】変更
【補正の内容】
【０００９】
請求項２記載の発明は、請求項１に記載の中継通信システムにおいて、前記第１中継装置は、さらに、前記通信セッションの確立通知を前記アクセス管理装置に送信する確立通知部、を備え、前記切断指示部は、前記確立通知を受信してからの時間が所定時間以上となった場合に、前記通信セッションの切断を前記第１中継装置に指示することを特徴とする。
請求項３記載の発明は、請求項１または請求項２に記載の中継通信システムにおいて、前記第１中継装置と、前記第２中継装置と、前記アクセス管理装置とは、さらに、前記第１中継装置及び前記第２中継装置の起動情報と、前記第１中継装置及び前記第２中継装置に接続されたクライアント端末の起動・登録情報とを含む中継サーバ情報を、互いに共有する中継サーバ情報共有部を備えることを特徴とする。
請求項４記載の発明は、請求項３に記載の中継通信システムにおいて、前記第１中継装置は、さらに、前記中継サーバ情報を表示する表示部を備えることを特徴とする。
請求項５記載の発明は、請求項１ないし請求項４のいずれかに記載の中継通信システムにおいて、前記通信セッションは、前記第１中継装置と前記第２中継装置との間で転送される通信パケットを、ルーティング制御するメディアセッションとしてのルーティングセッションであることを特徴とする。
請求項６記載の発明は、請求項５に記載の中継通信システムにおいて、前記ルーティングセッションでは、セッション確立後に、前記第１中継装置及び前記第２中継装置はネットワークアドレスを交換することを特徴とする。
請求項７記載の発明は、請求項６に記載の中継通信システムにおいて、前記ネットワークアドレスの交換において、前記第１中継装置及び前記第２中継装置はそれぞれが接続されたＬＡＮに接続された全ての端末へのアクセスを許可する。
請求項８記載の発明は、請求項６に記載の中継通信システムにおいて、
前記ネットワークアドレスの交換において、前記第１中継装置又は前記第２中継装置はそれぞれが接続されたＬＡＮに接続された端末の一部にアクセスを許可することを特徴とする。
【手続補正４】
【補正対象書類名】明細書
【補正対象項目名】００１０
【補正方法】変更
【補正の内容】
【００１０】
請求項９記載の発明は、第１中継装置及び第２中継装置と通信可能なアクセス管理装置であって、前記第１中継装置がアクセスすることができる装置のリストを保持し、前記第２中継装置に対するアクセス要求を前記第１中継装置から受信した場合、前記第１中継装置が前記第２中継装置にアクセスすることを許可するか否かを前記リストに基づいて判定するアクセス許可部と、前記第１中継装置が前記第２中継装置にアクセスすることが許可された場合、前記第１中継装置からのアクセスがあることを前記第２中継装置に通知し、前記第２中継装置に対するアクセス許可を前記第１中継装置に通知する通知部と、前記アクセス許可に基づいて前記第１中継装置と前記第２中継装置との間に確立された通信セッションに関するセッション情報を、前記第１中継装置から取得するセッション情報取得部と、前記セッション情報に基づいて前記通信セッションが所定条件を満たすと判断した場合、前記通信セッションの切断指示を前記第１中継装置又は前記第２中継装置に送信する切断指示部と、を備える特徴とする。